(57)【要約】【課題】  本発明の目的は、本撮影前の画像表示に係る消費電力を抑制することが可能な撮像装置を提供することである。【解決手段】  本発明の撮像装置（１１〜２６）は、撮像センサ（１３）と、画像取得手段（１４〜１７、２０）と、表示手段（１８、１９）と、変更手段（２０）とを備える。撮像センサは、光電変換により画像信号を出力する。画像取得手段は、撮像センサを駆動して被写界を撮像した画像を連続的に取得する。また、表示手段は、画像取得手段により連続的に取得される画像を略リアルタイムに表示する。そして、変更手段は、表示手段により画像の表示が行われる期間において、シャッター釦が半押しされる前と後で、撮像センサから出力される画像信号の情報量を変更することにより省電力の度合いを変更する。【選択図】  図１
2010081345.tif 000002
【特許請求の範囲】
【請求項１】
光電変換により画像信号を出力する撮像センサと、
前記撮像センサを駆動して被写界を撮像した画像を連続的に取得する画像取得手段と、
前記画像取得手段により連続的に取得される前記画像を略リアルタイムに表示する表示手段と、
前記表示手段により前記画像の表示が行われる期間において、シャッター釦が半押しされる前と後で、前記撮像センサから出力される前記画像信号の情報量を変更することにより省電力の度合いを変更する変更手段と
を備えることを特徴とする撮像装置。
【請求項２】
請求項１に記載の撮像装置において、
前記変更手段は、前記シャッター釦が半押しされる前と後で、前記画像信号の解像度を変更する
ことを特徴とする撮像装置。
【請求項３】
請求項２に記載の撮像装置において、
前記変更手段は、前記シャッター釦が半押しされる前の前記解像度を、前記シャッター釦が半押しされた後の値よりも低くする
ことを特徴とする撮像装置。
【請求項４】
請求項２または請求項３に記載の撮像装置において、
前記シャッター釦が半押しされた後の前記解像度は、前記シャッター釦が半押しされる前の前記解像度を整数倍した値である
ことを特徴とする撮像装置。
【請求項５】
請求項３または請求項４に記載の撮像装置において、
前記変更手段は、前記シャッター釦が半押しされた後の前記解像度を、前記表示手段の表示可能な最高解像度とする
ことを特徴とする撮像装置。
【請求項６】
請求項３〜請求項５の何れか一項に記載の撮像装置において、
前記変更手段は、シャッター釦が半押しされた後の前記省電力の度合いを、更に、バッテリー残量に応じて２段階に変更する
ことを特徴とする撮像装置。
【請求項７】
請求項６に記載の撮像装置において、
バッテリー残量を検出する検出手段を更に備え、
前記変更手段は、前記検出手段の検出結果に基づき、前記バッテリー残量が少なくなったと判断した場合には、前記シャッター釦が半押しされた後の前記解像度を前記表示手段の表示可能な最高解像度よりも低くし、前記バッテリー残量が少なくなったと判断しない場合には、前記シャッター釦が半押しされた後の前記解像度を前記表示手段の表示可能な最高解像度とする
ことを特徴とする撮像装置。
【請求項８】
請求項３〜請求項５の何れか一項に記載の撮像装置において、
前記変更手段は、シャッター釦が半押しされる前の前記省電力の度合いを、更に、撮像モードに応じて２段階に変更する
ことを特徴とする撮像装置。
【請求項９】
請求項１に記載の撮像装置において、
前記変更手段は、前記シャッター釦が半押しされる前と後で、前記画像信号の出力フレームレートを変更する
ことを特徴とする撮像装置。
【請求項１０】
請求項９に記載の撮像装置において、
前記変更手段は、前記シャッター釦が半押しされる前の前記出力フレームレートを、前記シャッター釦が半押しされた後の値よりも低くする
ことを特徴とする撮像装置。
【請求項１１】
請求項９または請求項１０に記載の撮像装置において、
前記変更手段は、手振れ補正機能が有効にされた場合は、前記シャッター釦が半押しされる前の前記出力フレームレートと前記シャッター釦が半押しされた後の前記出力フレームレートとの双方を、前記手振れ補正機能が無効であるときの値よりも高くする
ことを特徴とする撮像装置。
【請求項１２】
請求項１〜請求項１１の何れか一項に記載の撮像装置において、
前記変更手段が行う前記省電力の度合いの変更に係る動作を有効にする操作部材を有し、
前記変更手段は、前記操作部材が操作された場合に、前記省電力の度合いの変更に係る動作を開始する
ことを特徴とする撮像装置。
【発明の詳細な説明】
【技術分野】
【０００１】
本発明は、デジタルカメラなどの撮像装置について、特に、省電力型の撮像装置に関する。
【背景技術】
【０００２】
デジタルカメラなどの撮像装置は、電池（バッテリー）で駆動されるものが一般であり、その省電力化が強く望まれている。
【０００３】
撮像装置の省電力化を可能とする従来技術の一例として、例えば、特許文献１には、ＬＣＤモニタなどでの画像表示に使用する表示画素の数を、シャッター釦が半押しされる前と後で変更する手法が開示されている。
【０００４】
この手法によれば、シャッター釦の半押し前にはプレビュー画像が、一方、その半押し後には合焦状態の確認用画像がＬＣＤモニタに表示される。このとき、合焦状態の確認用画像はＬＣＤモニタの全ての表示画素を使用して表示されるが、プレビュー画像は、それよりも表示画素の数を少なくして表示されるので、本撮影前の画像表示に係るモニタ表示の消費電力が抑制される。
【特許文献１】特開２００４−１２６５５号公報
【発明の開示】
【発明が解決しようとする課題】
【０００５】
しかし、従来技術は、本撮影前の画像表示に係るモニタ表示の消費電力を抑制するものではあるが、撮像、画像信号に対する信号処理や画像処理などの画像表示に係る処理全般にわたって消費電力を抑制するものではなかった。
【０００６】
ところで、省電力化のためには、撮像装置で処理される画像信号の情報量を少なくして、撮像装置にかかる負荷を下げると良いことが一般に知られている。
【０００７】
つまり、本撮影前のプレビュー画像表示などにおいて、従来のようにＬＣＤモニタの表示画素の数を削減するのではなく、画像信号の情報量自体を削減することができれば、本撮影前の画像表示に係る消費電力をさらに抑制することができる。
【０００８】
本発明の目的は、本撮影前の画像表示に係る消費電力を抑制することが可能な撮像装置を提供することである。
【課題を解決するための手段】
【０００９】
第１の発明の撮像装置は、撮像センサと、画像取得手段と、表示手段と、変更手段とを備える。撮像センサは、光電変換により画像信号を出力する。画像取得手段は、撮像センサを駆動して被写界を撮像した画像を連続的に取得する。また、表示手段は、画像取得手段により連続的に取得される画像を略リアルタイムに表示する。そして、変更手段は、表示手段により画像の表示が行われる期間において、シャッター釦が半押しされる前と後で、撮像センサから出力される画像信号の情報量を変更することにより省電力の度合いを変更する。
【００１０】
第２の発明は、第１の発明において、変更手段が、シャッター釦が半押しされる前と後で、撮像センサから出力される画像信号の解像度を変更する。
【００１１】
第３の発明は、第２の発明において、変更手段が、シャッター釦が半押しされる前の前記解像度を、シャッター釦が半押しされた後の値よりも低くする。
【００１２】
第４の発明は、第２または第３の発明において、シャッター釦が半押しされた後の前記解像度は、シャッター釦が半押しされる前の前記解像度を整数倍した値である。
【００１３】
第５の発明は、第３または第４の発明において、変更手段が、シャッター釦が半押しされた後の前記解像度を、表示手段の表示可能な最高解像度とする。
【００１４】
第６の発明は、第３〜第５の発明の何れか一の発明において、変更手段が、シャッター釦が半押しされた後の省電力の度合いを、更に、バッテリー残量に応じて２段階に変更する。
【００１５】
第７の発明は、第６の発明において、バッテリー残量を検出する検出手段を更に備え、変更手段が、検出手段の検出結果に基づき、バッテリー残量が少なくなったと判断した場合には、シャッター釦が半押しされた後の前記解像度を表示手段の表示可能な最高解像度よりも低くし、バッテリー残量が少なくなったと判断しない場合には、シャッター釦が半押しされた後の前記解像度を表示手段の表示可能な最高解像度とする。
【００１６】
第８の発明は、第３〜第５の発明の何れか一の発明において、変更手段が、シャッター釦が半押しされる前の省電力の度合いを、更に、撮像モードに応じて２段階に変更する。
【００１７】
第９の発明は、第１の発明において、変更手段が、シャッター釦が半押しされる前と後で、撮像センサから出力される画像信号の出力フレームレートを変更する。
【００１８】
第１０の発明は、第９の発明において、変更手段が、シャッター釦が半押しされる前の前記出力フレームレートを、シャッター釦が半押しされた後の値よりも低くする。
【００１９】
第１１の発明は、第９または第１０の発明において、変更手段は、手振れ補正機能が有効にされた場合は、シャッター釦が半押しされる前の前記出力フレームレートとシャッター釦が半押しされた後の前記出力フレームレートとの双方を、手振れ補正機能が無効であるときの値よりも高くする。
【００２０】
第１２の発明は、第１〜第１１の発明の何れか一の発明において、変更手段が行う省電力の度合いの変更に係る動作を有効にする操作部材を有し、変更手段は、その操作部材が操作された場合に、省電力の度合いの変更に係る動作を開始する。
【発明の効果】
【００２１】
本発明では、撮像センサから連続的に取得される画像が略リアルタイムに表示される期間において、シャッター釦が半押しされる前と後で、撮像センサから出力される画像信号の情報量を変更することにより省電力の度合いを変更する。
【００２２】
従って、本発明によれば、例えば、シャッター釦が半押しされる前での撮像センサから出力される画像信号の解像度やフレームレートを、シャッター釦が半押しされた後の値よりも低くするように変更することができる。即ち、撮像センサから出力される画像信号の情報量を少なくすることができるので、本撮影前の画像表示に係る消費電力を抑制することができる。
【発明を実施するための最良の形態】
【００２３】
（第１実施形態）
以下、本発明の第１実施形態を説明する。本実施形態は、デジタルカメラの実施形態である。
【００２４】
図１は、第１実施形態のデジタルカメラのブロック図である。デジタルカメラは、撮像レンズ１１およびレンズ駆動部１２と、撮像素子１３と、アナログ信号処理部１４と、タイミングジェネレータ（ＴＧ）１５と、バッファメモリ１６と、画像処理部１７と、表示制御部１８と、表示部１９と、制御部２０と、測光部２１と、圧縮／復号部２２と、記録媒体２３と、操作部２４と、バッテリー残量検出部２５と、バス２６とを有している。ここで、バッファメモリ１６、画像処理部１７、表示制御部１８、制御部２０、測光部２１、圧縮／復号部２２、記録媒体２３は、バス２６を介して接続されている。また、レンズ駆動部１２、アナログ信号処理部１４、ＴＧ１５、操作部２４、バッテリー残量検出部２５は、それぞれ制御部２０に接続されている。そして、表示制御部１８には表示部１９が接続されている。
【００２５】
撮像レンズ１１は、フォーカスレンズやズームレンズを含む複数のレンズ群で構成されている。なお、簡単のため、図１では撮像レンズ１１を１枚のレンズとして図示している。
【００２６】
レンズ駆動部１２は、制御部２０の指示に応じてレンズ駆動信号を発生し、撮像レンズ１１を光軸方向に移動させてフォーカス調整やズーム調整を行うと共に、撮像レンズ１１を通過した光束による被写体像を撮像素子１３の受光面に形成する。
【００２７】
撮像素子１３は、ＣＣＤ型やＣＭＯＳ型の撮像素子であり、撮像レンズ１１の像空間側に配置されている。撮像素子１３は、受光面に形成された被写体像を光電変換してアナログ画像信号を出力する。この撮像素子１３の出力はアナログ信号処理部１４に接続されている。なお、撮像素子１３は、出力する画像のフレームレートや解像度を変更することが可能な撮像素子である。
【００２８】
アナログ信号処理部１４は、制御部２０の指示に応じて、撮像素子１３から出力されたアナログ画像信号に対し、ＣＤＳ（相関二重サンプリング）、ゲイン調整、Ａ／Ｄ変換などのアナログ信号処理を施すと共に、処理後の画像信号を出力する。なお、アナログ信号処理部１４の出力はバッファメモリ１６に接続されている。
【００２９】
また、アナログ信号処理部１４は、制御部２０の指示に基づいてゲイン調整の調整量を設定し、それによってＩＳＯ感度に相当する撮影感度の調整を行う。
【００３０】
ＴＧ１５は、制御部２０の指示に基づき撮像素子１３およびアナログ信号処理部１４に対してタイミングパルスを供給する。撮像素子１３およびアナログ信号処理部１４の駆動タイミングはそのタイミングパルスによって制御される。
【００３１】
バッファメモリ１６は、アナログ信号処理部１４から出力される画像信号を画像データとして一時的に記憶する。また、バッファメモリ１６は、制御部２０による処理の過程で作成された画像データを一時的に記憶する。
【００３２】
画像処理部１７は、制御部２０の指示に応じて、バッファメモリ１６の画像データに対し、ホワイトバランス調整、補間、輪郭強調、ガンマ補正、解像度変換（画素数変換）などの画像処理を施す。なお、解像度変換（画素数変換）は、表示部１９に画像データを表示させる場合などに必要な処理である。画像処理部１７は、ＡＳＩＣなどとして構成される。
【００３３】
表示制御部１８は、制御部２０の指示に応じて、画像処理後の画像データに所定の信号処理を施して表示部１９へ出力する。この出力により、画像データが表示部１９に表示される。なお、表示部１９は、デジタルカメラ筐体の背面などに設けられたＬＣＤモニタや、接眼部を備えた電子ビューファインダ（ＥＶＦ）などである。表示部１９のＬＣＤモニタやＥＶＦなどの表示のオン（ＯＮ）、オフ（ＯＦＦ）は、表示制御部１８が、制御部２０からの指示に応じて制御を行う。
【００３４】
測光部２１は、制御部２０の指示に応じて、バッファメモリ１６の画像データに基づき、多分割測光（マルチパターン測光）、中央部重点測光、スポット測光などの公知の測光方式により、被写体や撮影シーン全体の明るさや、撮影シーンの明るさ分布を示す評価値を算出する。
【００３５】
圧縮／復号部２２は、制御部２０の指示に応じて、画像処理後の画像データに圧縮処理を施す。なお、圧縮処理は、ＪＰＥＧ（Joint Photographic Experts Group）形式などによって行われる。圧縮／復号部２２は、可逆圧縮（いわゆるロスレス符号化）を行うことも可能な構成となっている。
【００３６】
記録媒体２３には、制御部２０によって、圧縮処理後の画像データが記録される。記録媒体２３は、メモリカード、小型ハードディスク、ＤＶＤ等の光ディスクなどで構成される。なお、記録媒体２３は、デジタルカメラに内蔵されるものであっても、着脱可能に装着されるものであってもよいし、デジタルカメラの外部に設けられるものであってもよい。外部に設けられる場合、記録媒体２３とデジタルカメラとは、有線または無線で電気的に接続される。
【００３７】
操作部２４は、レリーズ釦（シャッター釦）やモード設定釦等の各種の操作部材を含み、ユーザーによる部材操作の内容に応じた操作信号を制御部２０に送る。
【００３８】
バッテリー残量検出部２５は、制御部２０の指示に応じて、デジタルカメラに装着されるバッテリーの残容量を検出し、その残容量の情報を出力する。
【００３９】
制御部２０は、ユーザーによる操作部材の操作内容に応じてデジタルカメラの各部を統括制御する。例えば、モード設定釦等の操作によりデジタルカメラが撮影モードに設定されると、制御部２０は、レンズ駆動部１２、アナログ信号処理部１４およびＴＧ１５を駆動してスルー画像の取得を開始する。このとき、撮像素子１３はドラフトモード（間引き読み出しモード）で駆動され、スルー画像の画像データがアナログ信号処理部１４を介してバッファメモリ１６へ順次記録される。制御部２０は、そのスルー画像の画像データを基に、レンズ駆動部１２と協働して撮像レンズ１１の焦点調節制御（ＡＦ）を行う。また、制御部２０は、測光部２１を駆動して、バッファメモリ１６のスルー画像の画像データを基に撮影シーンの評価値を算出させると、その評価値に基づきアナログ信号処理部１４などの設定内容を調整する。また、制御部２０は、画像処理部１７を駆動してバッファメモリ１６のスルー画像の画像データに画像処理を施した後、表示制御部１８を駆動して画像処理後のスルー画像の画像データを表示部１９に順次表示させる（ライブビュー表示）。
【００４０】
次に、撮影モードで動作中にレリーズ釦が半押しされると、制御部２０は、本撮影に先立ち、レンズ駆動部１２と協働して撮像レンズ１１の焦点調節制御（ＡＦ）を行う。
【００４１】
また、撮影モードで動作中にレリーズ釦が全押しされると、制御部２０は、測光部２１が算出した評価値に基づき撮影条件（絞り値、シャッター速度、ストロボ発光の有無など）を決定する。そして、制御部２０は、決定した撮影条件の下でレンズ駆動部１２、アナログ信号処理部１４およびＴＧ１５を駆動して本撮影を実施する。このとき、撮像素子１３はフレームモード（全画素読み出しモード）で駆動され、撮影された本撮影画像の画像データがアナログ信号処理部１４を介してバッファメモリ１６へ記録される。この後、制御部２０は、画像処理部１７を駆動して、バッファメモリ１６に記録された本撮影画像の画像データに対し画像処理を施す。また、制御部２０は、表示制御部１８を駆動して、画像処理後の本撮影画像を表示部１９に表示させる。そして、制御部２０は、圧縮／復号部２２を駆動して、画像処理後の本撮影画像の画像データに対し圧縮処理を施すと共に、圧縮処理後の本撮影画像の画像データを記録媒体２３へ記録する。なお、制御部２０は、デジタルカメラが非圧縮記録モードに設定された場合には、圧縮／復号部２２を駆動することなく、画像処理後の本撮影画像の画像データを非圧縮のまま記録媒体２３へ記録する。
【００４２】
以下、デジタルカメラの撮影に係る動作を、図２の流れ図を参照して説明する。図２は、デジタルカメラが、省電力モードに設定され、かつ、撮影モードに設定された場合に実行されるフローチャートである。なお、デジタルカメラを省電力モードに設定するには、ユーザーは、例えば、操作部２４に含まれる省電力モード釦を押下する。
【００４３】
ステップ１０１（Ｓ１０１）：制御部２０は、モニタ表示釦等の操作状態などに基づき、表示部１９のＬＣＤモニタへの表示（モニタ表示）が必要か否かを判定する。
【００４４】
制御部２０は、モニタ表示が不必要な場合はステップ１０２へ移行する（Ｎｏ側）。なお、前回の本フローチャートの処理で表示部１９のＬＣＤモニタの表示が「ＯＮ」にされている場合には、制御部２０は、表示制御部１８を駆動して表示部１９のＬＣＤモニタの表示を「ＯＦＦ」にしてからステップ１０２へ移行する。
【００４５】
一方、制御部２０は、モニタ表示が必要な場合はステップ１０４へ移行する（Ｙｅｓ側）。
【００４６】
ステップ１０２：制御部２０は、ユーザーが表示部１９の電子ビューファインダ（ＥＶＦ）を覗いているか否かを判定する。なお、ユーザーがファインダを覗いていることの検出は、不図示のアイリスセンサなどを用いて行う。
【００４７】
制御部２０は、ユーザーがファインダを覗いていない場合はステップ１０１へ移行して上記の処理を繰り返す（Ｎｏ側）。なお、前回の本フローチャートの処理で表示部１９のＥＶＦの表示が「ＯＮ」にされている場合には、制御部２０は、表示制御部１８を駆動して表示部１９のＥＶＦの表示を「ＯＦＦ」にしてからステップ１０１へ移行する。
【００４８】
一方、制御部２０は、ユーザーがファインダを覗いている場合はステップ１０３へ移行する（Ｙｅｓ側）。
【００４９】
ステップ１０３：制御部２０は、ユーザーがファインダを覗いているため、表示制御部１８を駆動して、表示部１９のＥＶＦの表示を「ＯＮ」にする。そして、制御部２０は、ステップ１０５へ移行する。
【００５０】
ステップ１０４：制御部２０は、モニタ表示が必要であるため、表示制御部１８を駆動して、表示部１９のＬＣＤモニタの表示を「ＯＮ」にする。そして、制御部２０は、ステップ１０５へ移行する。
【００５１】
ステップ１０５：制御部２０は、レンズ駆動部１２、アナログ信号処理部１４およびＴＧ１５を駆動して、スルー画像の取得を開始する。
【００５２】
ステップ１０６：制御部２０は、撮像素子１３から低解像度の画像が出力されるようにＴＧ１５を連続駆動する。これにより低解像度のスルー画像が順次取得される。
【００５３】
なお、スルー画像の解像度は、スルー画像の縦および横の画素数をそれぞれ整数倍した値が、表示部１９のＬＣＤモニタ又はＥＶＦの表示可能な最高解像度となるように決定する。具体的には、表示部１９のＬＣＤモニタ又はＥＶＦの最高解像度が８００×６００ピクセルであった場合には、例えば、スルー画像の解像度を４００×３００ピクセルにする。この場合、スルー画像の縦および横の画素数をそれぞれ２倍した値が表示部１９の最高解像度となるようにスルー画像の解像度を決定している。
【００５４】
つまり、スルー画像の解像度は、表示部１９の最高解像度よりも低くなるように決定する。
【００５５】
ステップ１０７：制御部２０は、取得された低解像度のスルー画像を、表示制御部１８を駆動して表示部１９に順次表示させる。なお、スルー画像は、上記のステップ１０３またはステップ１０４で表示を「ＯＮ」にした表示部１９のＥＶＦまたはＬＣＤモニタに表示される。
【００５６】
ステップ１０８：制御部２０は、レリーズ釦が半押しされたか否かを判定する。
【００５７】
制御部２０は、レリーズ釦が半押しされた場合にはステップ１０９へ移行し（Ｙｅｓ側）、一方、半押しされていない場合にはステップ１０６へ移行して低解像度のスルー画像によるライブビュー表示を続ける（Ｎｏ側）。
【００５８】
ステップ１０９：制御部２０は、撮像素子１３から高解像度の画像が出力されるようにＴＧ１５を連続駆動する。これにより高解像度のスルー画像が順次取得される。
【００５９】
なお、この場合のスルー画像の解像度は、表示部１９のＬＣＤモニタ又はＥＶＦの表示可能な最高解像度と同じ値、例えば、８００×６００ピクセルに決定する。
【００６０】
つまり、レリーズ釦が半押しされて焦点調節制御（ＡＦ）を行うときには、ユーザーが被写界を良く観察できるように、高解像度のスルー画像を取得するようにする。
【００６１】
ステップ１１０：制御部２０は、取得された高解像度のスルー画像を、表示制御部１８を駆動して表示部１９に順次表示させる。なお、スルー画像は、上記のステップ１０３またはステップ１０４で表示を「ＯＮ」にした表示部１９のＥＶＦまたはＬＣＤモニタに表示される。
【００６２】
ステップ１１１：制御部２０は、レリーズ釦が全押しされたか否かを判定する。
【００６３】
制御部２０は、レリーズ釦が全押しされた場合にはステップ１１３へ移行し（Ｙｅｓ側）、一方、全押しされていない場合にはステップ１１２へ移行する（Ｎｏ側）。
【００６４】
ステップ１１２：制御部２０は、所定の時間（例えば１０秒）が経過したか又はレリーズ釦押下が解除されたかを判定する。
【００６５】
制御部２０は、所定の時間が経過した場合又はレリーズ釦押下が解除された場合には、ステップ１０６へ移行して、低解像度のスルー画像によるライブビュー表示を行うようにする（Ｙｅｓ側）。
【００６６】
一方、所定の時間を経過しておらず、そしてレリーズ釦の押下も解除されていない（ここではレリーズ釦の半押しが継続されている）場合は、制御部２０は、ステップ１０９へ移行して、高解像度のスルー画像によるライブビュー表示を続ける（Ｎｏ側）。
【００６７】
ステップ１１３：制御部２０は、ＴＧ１５の駆動を停止して、スルー画像の取得を終了する。
【００６８】
ステップ１１４：制御部２０は、自動露出などにより決定した撮影条件（電子シャッター速度、絞り値、ストロボ発光の有無など）の下で本撮影を実施する。
【００６９】
ステップ１１５：制御部２０は、本撮影により取得された本撮影画像を、表示制御部１８を駆動して表示部１９に表示させる。なお、本撮影画像は、上記のステップ１０３またはステップ１０４で表示を「ＯＮ」にした表示部１９のＥＶＦまたはＬＣＤモニタに表示される。
【００７０】
ステップ１１６：制御部２０は、圧縮／復号部２２を駆動して、本撮影画像に対し圧縮処理を施すと共に、その処理後の本撮影画像を記録媒体２３へ記録する。
【００７１】
ステップ１１７：制御部２０は、本フローチャートの処理の終了が指示されたか否かを判定する。なお、その終了の指示は、デジタルカメラが撮影モード以外のモードに設定されることなどによって行われる。
【００７２】
制御部２０は、終了が指示された場合には本フローの処理を終了する（Ｙｅｓ側）。一方、制御部２０は、終了が指示されていない場合にはステップ１０１へ移行して上記の処理を繰り返す（Ｎｏ側）。
【００７３】
（第１実施形態の作用効果）
以上、第１実施形態のデジタルカメラでは、レリーズ釦が半押しされる前においては、撮像素子１３から低解像度の画像が出力されるようにＴＧ１５が連続駆動されて低解像度のスルー画像が順次取得される。そして、取得された低解像度のスルー画像が表示部１９のＥＶＦまたはＬＣＤモニタに順次表示される。一方、レリーズ釦が半押しされた後においては、撮像素子１３から高解像度の画像が出力されるようにＴＧ１５が連続駆動されて高解像度のスルー画像が順次取得される。そして、取得された高解像度のスルー画像が表示部１９のＥＶＦまたはＬＣＤモニタに順次表示される。
【００７４】
つまり、シャッター釦が半押しされる前での撮像素子１３から出力されるスルー画像の解像度は、シャッター釦が半押しされた後の解像度よりも低い値に変更されており、省電力の度合いが変更されている。このため、シャッター釦が半押しされる前において、撮像素子１３から出力される画像信号の情報量を少なくすることができる。
【００７５】
従って、本撮影前の画像表示に係る消費電力を抑制することができる。
【００７６】
また、第１実施形態のデジタルカメラでは、レリーズ釦が半押しされる前に取得されるスルー画像の解像度は、スルー画像の縦および横の画素数をそれぞれ整数倍した値が、表示部１９のＬＣＤモニタ又はＥＶＦの表示可能な最高解像度となるように決定される。
【００７７】
このため、シャッター釦が半押しされる前において、撮像素子１３から出力される画像信号の情報量を少なくすることができる。また、その決定された解像度で取得されるスルー画像を画像表示すると、整数倍となっていない画像を表示する場合とくらべて画像表示に係る処理の負荷を軽減することができる。
【００７８】
従って、本撮影前の画像表示に係る消費電力を抑制することができる。
【００７９】
また、第１実施形態のデジタルカメラでは、レリーズ釦が半押しされた後に取得されるスルー画像の解像度は、表示部１９のＬＣＤモニタ又はＥＶＦの表示可能な最高解像度と同じ値に決定される。
【００８０】
つまり、レリーズ釦が半押しされて焦点調節制御（ＡＦ）を行うときには、高解像度のスルー画像が画面表示される。このため、ユーザーは、見やすい画面で、ピントの状態などを確認することができる。
【００８１】
従って、本撮影を良好に行うことができる。
【００８２】
また、第１実施形態のデジタルカメラでは、ユーザーが表示部１９の電子ビューファインダ（ＥＶＦ）を覗いていると判定されるまではＥＶＦの表示が「ＯＮ」にされず、またスルー画像の表示の動作も行われない。
【００８３】
従って、ユーザーがファインダを覗いていない場合など、画像を表示する必要がないときに、画像表示に係る消費電力を抑制することができる。
【００８４】
（第２実施形態）
以下、本発明の第２実施形態を説明する。第２実施形態も、デジタルカメラの実施形態である。なお、以下の説明では、第１実施形態と共通するデジタルカメラの構成要素については同一符号を付して重複説明を省略する。
【００８５】
以下、第２実施形態のデジタルカメラの撮影に係る動作を、図３の流れ図を参照して説明する。図３は、デジタルカメラが、省電力モードに設定され、かつ、撮影モードに設定された場合に実行されるフローチャートである。なお、図３のステップ２０１〜２０４、２１４〜２１７の処理については、図２のステップ１０１〜１０４、１１４〜１１７の処理と同一であるため、説明を省略する。
【００８６】
ステップ２０５：制御部２０は、レンズ駆動部１２、アナログ信号処理部１４およびＴＧ１５を駆動して、スルー画像の取得を開始する。
【００８７】
ステップ２０６：制御部２０は、撮像素子１３から低フレームレートでスルー画像が出力されるようにＴＧ１５を連続駆動する。なお、この場合のフレームレートは、例えば、３０フレーム／秒などとする。
【００８８】
ステップ２０７：制御部２０は、低フレームレートで順次取得されるスルー画像を、表示制御部１８を駆動して表示部１９に表示させる。なお、スルー画像は、ステップ２０３またはステップ２０４で表示を「ＯＮ」にした表示部１９のＥＶＦまたはＬＣＤモニタに表示される。
【００８９】
ステップ２０８：制御部２０は、レリーズ釦が半押しされたか否かを判定する。
【００９０】
制御部２０は、レリーズ釦が半押しされた場合にはステップ２０９へ移行し（Ｙｅｓ側）、一方、半押しされていない場合にはステップ２０６へ移行して低フレームレートで取得されるスルー画像によるライブビュー表示を続ける（Ｎｏ側）。
【００９１】
ステップ２０９：制御部２０は、撮像素子１３から高フレームレートでスルー画像が出力されるようにＴＧ１５を連続駆動する。なお、この場合のフレームレートは、レリーズ釦が半押しされる前のフレームレートよりも高い、例えば、６０フレーム／秒などとする。つまり、レリーズ釦が半押しされて焦点調節制御（ＡＦ）を行うときには、ユーザーが被写界を良く観察できるように、高フレームレートでスルー画像を取得するようにする。
【００９２】
ステップ２１０：制御部２０は、高フレームレートで順次取得されるスルー画像を、表示制御部１８を駆動して表示部１９に表示させる。なお、スルー画像は、ステップ２０３またはステップ２０４で表示を「ＯＮ」にした表示部１９のＥＶＦまたはＬＣＤモニタに表示される。
【００９３】
ステップ２１１：制御部２０は、レリーズ釦が全押しされたか否かを判定する。
【００９４】
制御部２０は、レリーズ釦が全押しされた場合にはステップ２１３へ移行し（Ｙｅｓ側）、一方、全押しされていない場合にはステップ２１２へ移行する（Ｎｏ側）。
【００９５】
ステップ２１２：制御部２０は、所定の時間（例えば１０秒）が経過したか又はレリーズ釦押下が解除されたかを判定する。
【００９６】
制御部２０は、所定の時間が経過した場合又はレリーズ釦押下が解除された場合には、ステップ２０６へ移行して、低フレームレートで取得されるスルー画像によるライブビュー表示を行うようにする（Ｙｅｓ側）。
【００９７】
一方、所定の時間を経過しておらず、そしてレリーズ釦の押下も解除されていない（ここではレリーズ釦の半押しが継続されている）場合は、制御部２０は、ステップ２０９へ移行して、高フレームレートで取得されるスルー画像によるライブビュー表示を続ける（Ｎｏ側）。
【００９８】
ステップ２１３：制御部２０は、ＴＧ１５の駆動を停止して、スルー画像の取得を終了する。
【００９９】
（第２実施形態の補足事項）
なお、上記では、低フレームレートを３０フレーム／秒、また高フレームレートを６０フレーム／秒としたが、３０、６０フレーム／秒以外の値にしてもよい。
【０１００】
また、デジタルカメラの手振れ補正機能が「ＯＮ（有効）」にされている場合には、ユーザーが動体を撮影しようとしていることが考えられるので、自動的にフレームレートを手振れ補正機能が「ＯＦＦ」のときよりも高くするようにしてもよい。そうした場合、例えば、手振れ補正機能が「ＯＦＦ」のときの低フレームレートおよび高フレームレートがそれぞれ３０フレーム／秒および６０フレーム／秒であれば、手振れ補正機能が「ＯＮ」にされている場合には、低フレームレートおよび高フレームレートをそれぞれ６０フレーム／秒および９０フレーム／秒などの高い値にする。なお、手振れ補正機能を「ＯＮ」にするには、ユーザーは、例えば、操作部２４に含まれる手振れ補正釦を押下する。
【０１０１】
また、上記では、レリーズ釦半押しの前後でスルー画像取得のフレームレートのみを変更する例を説明したが、フレームレート及び解像度を変更するようにしてもよい。その場合、ステップ２０６では、フレームレートを、例えば、３０フレーム／秒とし、解像度を、第１実施形態のステップ１０６で説明したように、例えば、４００×３００ピクセルに決定する。そして、ステップ２０９では、フレームレートを、例えば、６０フレーム／秒とし、解像度を、第１実施形態のステップ１０９で説明したように、例えば、８００×６００ピクセルに決定する。
【０１０２】
（第２実施形態の作用効果）
以上、第２実施形態のデジタルカメラでは、レリーズ釦が半押しされる前においては、撮像素子１３から低フレームレートで画像が出力されるようにＴＧ１５が連続駆動される。そして、低フレームレートで順次取得されたスルー画像が表示部１９のＥＶＦまたはＬＣＤモニタに表示される。一方、レリーズ釦が半押しされた後においては、撮像素子１３から高フレームレートで画像が出力されるようにＴＧ１５が連続駆動される。そして、高フレームレートで順次取得されたスルー画像が表示部１９のＥＶＦまたはＬＣＤモニタに表示される。
【０１０３】
つまり、シャッター釦が半押しされる前での撮像素子１３から出力されるスルー画像のフレームレートは、シャッター釦が半押しされた後のフレームレートよりも低い値に変更されており、省電力の度合いが変更されている。このため、シャッター釦が半押しされる前において、撮像素子１３から出力される画像信号の情報量を少なくすることができる。
【０１０４】
従って、本撮影前の画像表示に係る消費電力を抑制することができる。
【０１０５】
（第３実施形態）
以下、本発明の第３実施形態を説明する。第３実施形態も、デジタルカメラの実施形態である。なお、以下の説明では、第１実施形態と共通するデジタルカメラの構成要素については同一符号を付して重複説明を省略する。
【０１０６】
以下、第３実施形態のデジタルカメラの撮影に係る動作を、図４の流れ図を参照して説明する。図４は、デジタルカメラが、省電力モードに設定され、かつ、撮影モードに設定された場合に実行されるフローチャートである。なお、図４のステップ３０１〜３０４、３１６〜３１９の処理については、図２のステップ１０１〜１０４、１１４〜１１７の処理と同一であるため、説明を省略する。
【０１０７】
ステップ３０５：制御部２０は、レンズ駆動部１２、アナログ信号処理部１４およびＴＧ１５を駆動して、スルー画像の取得を開始する。
【０１０８】
ステップ３０６：制御部２０は、連続撮影モードの設定が「ＯＮ」であるか否かを判定する。制御部２０は、連続撮影モードの設定が「ＯＮ」であればステップ３０８へ移行し（Ｙｅｓ側）、一方、設定が「ＯＮ」でなければステップ３０７へ移行する（Ｎｏ側）。
【０１０９】
ステップ３０７：制御部２０は、撮像素子１３から低解像度の画像が出力されるようにＴＧ１５を連続駆動する。これにより低解像度のスルー画像が順次取得される。
【０１１０】
なお、スルー画像の解像度は、スルー画像の縦および横の画素数をそれぞれ整数倍した値が、表示部１９のＬＣＤモニタ又はＥＶＦの表示可能な最高解像度となるように決定する。具体的には、表示部１９のＬＣＤモニタ又はＥＶＦの最高解像度が８００×６００ピクセルであった場合には、例えば、スルー画像の解像度を２００×１５０ピクセルにする。この場合、スルー画像の縦および横の画素数をそれぞれ４倍した値が表示部１９の最高解像度となるようにスルー画像の解像度を決定している。
【０１１１】
つまり、スルー画像の解像度は、表示部１９の最高解像度よりも低くなるように決定する。
【０１１２】
そして、制御部２０は、ステップ３０９へ移行する。
【０１１３】
ステップ３０８：連続撮影モードの設定が「ＯＮ」であるため、制御部２０は、撮像素子１３から中解像度の画像が出力されるようにＴＧ１５を連続駆動する。これにより中解像度のスルー画像が順次取得される。
【０１１４】
なお、この場合のスルー画像の解像度は、スルー画像の縦および横の画素数をそれぞれ整数倍した値が、表示部１９のＬＣＤモニタ又はＥＶＦの表示可能な最高解像度となるように決定する。但し、その解像度は、ステップ３０７で決定された値よりも高くなるように決定する。具体的には、表示部１９のＬＣＤモニタ又はＥＶＦの最高解像度が８００×６００ピクセルであり、ステップ３０７で決定された解像度が２００×１５０ピクセルであったとすると、ここではスルー画像の解像度を、例えば、４００×３００ピクセルにする。この場合、スルー画像の縦および横の画素数をそれぞれ２倍した値が表示部１９の最高解像度となるようにスルー画像の解像度を決定している。
【０１１５】
つまり、スルー画像の解像度は、表示部１９の最高解像度よりも低く、かつ、ステップ３０７で決定された解像度、即ち、連続撮影モードの設定が「ＯＮ」でない場合の解像度よりも高くなるように決定する。
【０１１６】
そして、制御部２０は、ステップ３０９へ移行する。
【０１１７】
ステップ３０９：制御部２０は、取得されたスルー画像を、表示制御部１８を駆動して表示部１９に順次表示させる。なお、スルー画像は、ステップ３０３またはステップ３０４で表示を「ＯＮ」にした表示部１９のＥＶＦまたはＬＣＤモニタに表示される。
【０１１８】
ステップ３１０：制御部２０は、レリーズ釦が半押しされたか否かを判定する。
【０１１９】
制御部２０は、レリーズ釦が半押しされた場合にはステップ３１１へ移行し（Ｙｅｓ側）、一方、半押しされていない場合にはステップ３０６へ移行して低解像度又は中解像度のスルー画像によるライブビュー表示を続ける（Ｎｏ側）。
【０１２０】
ステップ３１１：制御部２０は、撮像素子１３から高解像度の画像が出力されるようにＴＧ１５を連続駆動する。これにより高解像度のスルー画像が順次取得される。
【０１２１】
なお、この場合のスルー画像の解像度は、表示部１９のＬＣＤモニタ又はＥＶＦの表示可能な最高解像度と同じ値、例えば、８００×６００ピクセルに決定する。
【０１２２】
つまり、レリーズ釦が半押しされて焦点調節制御（ＡＦ）を行うときには、ユーザーが被写界を良く観察できるように、高解像度のスルー画像を取得するようにする。
【０１２３】
ステップ３１２：制御部２０は、取得された高解像度のスルー画像を、表示制御部１８を駆動して表示部１９に順次表示させる。なお、スルー画像は、ステップ３０３またはステップ３０４で表示を「ＯＮ」にした表示部１９のＥＶＦまたはＬＣＤモニタに表示される。
【０１２４】
ステップ３１３：制御部２０は、レリーズ釦が全押しされたか否かを判定する。
【０１２５】
制御部２０は、レリーズ釦が全押しされた場合にはステップ３１５へ移行し（Ｙｅｓ側）、一方、全押しされていない場合にはステップ３１４へ移行する（Ｎｏ側）。
【０１２６】
ステップ３１４：制御部２０は、所定の時間（例えば１０秒）が経過したか又はレリーズ釦押下が解除されたかを判定する。
【０１２７】
制御部２０は、所定の時間が経過した場合又はレリーズ釦押下が解除された場合には、ステップ３０６へ移行して、低解像度又は中解像度のスルー画像によるライブビュー表示を行うようにする（Ｙｅｓ側）。
【０１２８】
一方、所定の時間を経過しておらず、そしてレリーズ釦の押下も解除されていない（ここではレリーズ釦の半押しが継続されている）場合は、制御部２０は、ステップ３１１へ移行して、高解像度のスルー画像によるライブビュー表示を続ける（Ｎｏ側）。
【０１２９】
ステップ３１５：制御部２０は、ＴＧ１５の駆動を停止して、スルー画像の取得を終了する。
【０１３０】
（第３実施形態の作用効果）
以上、第３実施形態のデジタルカメラでは、レリーズ釦が半押しされる前において、連続撮影モードの設定が「ＯＮ」である場合には、撮像素子１３から中解像度の画像が出力されるようにＴＧ１５が連続駆動されて中解像度のスルー画像が順次取得される。そして、取得された中解像度のスルー画像が表示部１９のＥＶＦまたはＬＣＤモニタに順次表示される。
【０１３１】
つまり、レリーズ釦が半押しされる前において、連続撮影モードの設定が「ＯＮ」である場合には、低解像度のスルー画像に替えて、中解像度のスルー画像が取得される。この中解像度のスルー画像は、その解像度が、低解像度のスルー画像よりも高く、かつ、レリーズ釦が半押しされた後に取得される高解像度のスルー画像よりも低い画像である。このため、連続撮影モードの場合には、低解像度のスルー画像に替えて中解像度のスルー画像が画面表示されるので、レリーズ釦が半押しされる前において、ユーザーは、見やすい画面で、被写界の状況を確認することができる。
【０１３２】
従って、連続撮影を良好に行うことができる。
【０１３３】
また、第３実施形態のデジタルカメラでは、レリーズ釦が半押しされる前に取得される中解像度のスルー画像の解像度は、スルー画像の縦および横の画素数をそれぞれ整数倍した値が、表示部１９のＬＣＤモニタ又はＥＶＦの表示可能な最高解像度となるように決定される。このため、シャッター釦が半押しされる前において、連続撮影モードの設定が「ＯＮ」である場合にも、撮像素子１３から出力される画像信号の情報量を少なくすることができる。また、その決定された解像度で取得されるスルー画像を画像表示すると、整数倍となっていない画像を表示する場合と較べて画像表示に係る処理の負荷を軽減することができる。
【０１３４】
従って、本撮影前の画像表示に係る消費電力を抑制することができる。
【０１３５】
（第４実施形態）
以下、本発明の第４実施形態を説明する。第４実施形態も、デジタルカメラの実施形態である。なお、以下の説明では、第１実施形態と共通するデジタルカメラの構成要素については同一符号を付して重複説明を省略する。
【０１３６】
以下、第４実施形態のデジタルカメラの撮影に係る動作を、図５の流れ図を参照して説明する。図５は、デジタルカメラが、省電力モードに設定され、かつ、撮影モードに設定された場合に実行されるフローチャートである。なお、図５のステップ４０１〜４０４、４１６〜３１９の処理については、図２のステップ１０１〜１０４、１１４〜１１７の処理と同一であるため、説明を省略する。
【０１３７】
ステップ４０５：制御部２０は、レンズ駆動部１２、アナログ信号処理部１４およびＴＧ１５を駆動して、スルー画像の取得を開始する。
【０１３８】
ステップ４０６：制御部２０は、撮像素子１３から低解像度の画像が出力されるようにＴＧ１５を連続駆動する。これにより低解像度のスルー画像が順次取得される。
【０１３９】
なお、スルー画像の解像度は、スルー画像の縦および横の画素数をそれぞれ整数倍した値が、表示部１９のＬＣＤモニタ又はＥＶＦの表示可能な最高解像度となるように決定する。具体的には、表示部１９のＬＣＤモニタ又はＥＶＦの最高解像度が８００×６００ピクセルであった場合には、例えば、スルー画像の解像度を２００×１５０ピクセルにする。この場合、スルー画像の縦および横の画素数をそれぞれ４倍した値が表示部１９の最高解像度となるようにスルー画像の解像度を決定している。
【０１４０】
つまり、スルー画像の解像度は、表示部１９の最高解像度よりも低くなるように決定する。
【０１４１】
ステップ４０７：制御部２０は、取得された低解像度のスルー画像を、表示制御部１８を駆動して表示部１９に順次表示させる。なお、スルー画像は、ステップ４０３またはステップ４０４で表示を「ＯＮ」にした表示部１９のＥＶＦまたはＬＣＤモニタに表示される。
【０１４２】
ステップ４０８：制御部２０は、レリーズ釦が半押しされたか否かを判定する。
【０１４３】
制御部２０は、レリーズ釦が半押しされた場合にはステップ４０９へ移行し（Ｙｅｓ側）、一方、半押しされていない場合にはステップ４０６へ移行して低解像度のスルー画像によるライブビュー表示を続ける（Ｎｏ側）。
【０１４４】
ステップ４０９：制御部２０は、バッテリー残量検出部２５を駆動してデジタルカメラに装着されるバッテリーの残容量の情報を取得すると共に、取得した情報を所定の閾値と比較することによりバッテリー残量が少ないか否かを判定する。
【０１４５】
制御部２０は、バッテリー残量が少ない場合にはステップ４１１へ移行し（Ｙｅｓ側）、一方、そうでない場合はステップ４１０へ移行する（Ｎｏ側）。
【０１４６】
ステップ４１０：制御部２０は、撮像素子１３から高解像度の画像が出力されるようにＴＧ１５を連続駆動する。これにより高解像度のスルー画像が順次取得される。
【０１４７】
なお、この場合のスルー画像の解像度は、表示部１９のＬＣＤモニタ又はＥＶＦの表示可能な最高解像度と同じ値、例えば、８００×６００ピクセルに決定する。
【０１４８】
つまり、レリーズ釦が半押しされて焦点調節制御（ＡＦ）を行うときには、ユーザーが被写界を良く観察できるように、高解像度のスルー画像を取得するようにする。
【０１４９】
そして、制御部２０は、ステップ４１２へ移行する。
【０１５０】
ステップ４１１：バッテリー残量が少ないため、制御部２０は、撮像素子１３から中解像度の画像が出力されるようにＴＧ１５を連続駆動する。これにより中解像度のスルー画像が順次取得される。
【０１５１】
なお、この場合のスルー画像の解像度は、スルー画像の縦および横の画素数をそれぞれ整数倍した値が、表示部１９のＬＣＤモニタ又はＥＶＦの表示可能な最高解像度となるように決定する。但し、その解像度は、ステップ４０６で決定された値よりも高くなるように決定する。具体的には、表示部１９のＬＣＤモニタ又はＥＶＦの最高解像度が８００×６００ピクセルであり、ステップ４０６で決定された解像度が２００×１５０ピクセルであったとすると、ここではスルー画像の解像度を、例えば、４００×３００ピクセルにする。この場合、スルー画像の縦および横の画素数をそれぞれ２倍した値が表示部１９の最高解像度となるようにスルー画像の解像度を決定している。
【０１５２】
このように、レリーズ釦が半押しされて焦点調節制御（ＡＦ）を行うときにバッテリー残量が少ない場合は、スルー画像の解像度を、表示部１９の最高解像度よりも低く、かつ、ステップ４０６で決定された解像度よりも高くなるように決定する。
【０１５３】
そして、制御部２０は、ステップ４１２へ移行する。
【０１５４】
ステップ４１２：制御部２０は、取得されたスルー画像を、表示制御部１８を駆動して表示部１９に順次表示させる。なお、スルー画像は、ステップ４０３またはステップ４０４で表示を「ＯＮ」にした表示部１９のＥＶＦまたはＬＣＤモニタに表示される。
【０１５５】
ステップ４１３：制御部２０は、レリーズ釦が全押しされたか否かを判定する。
【０１５６】
制御部２０は、レリーズ釦が全押しされた場合にはステップ４１５へ移行し（Ｙｅｓ側）、一方、全押しされていない場合にはステップ４１４へ移行する（Ｎｏ側）。
【０１５７】
ステップ４１４：制御部２０は、所定の時間（例えば１０秒）が経過したか又はレリーズ釦押下が解除されたかを判定する。
【０１５８】
制御部２０は、所定の時間が経過した場合又はレリーズ釦押下が解除された場合には、ステップ４０６へ移行して、低解像度のスルー画像によるライブビュー表示を行うようにする（Ｙｅｓ側）。
【０１５９】
一方、所定の時間を経過しておらず、そしてレリーズ釦の押下も解除されていない（ここではレリーズ釦の半押しが継続されている）場合は、制御部２０は、ステップ４０９へ移行して、高解像度又は中解像度のスルー画像によるライブビュー表示を続ける（Ｎｏ側）。
【０１６０】
ステップ４１５：制御部２０は、ＴＧ１５の駆動を停止して、スルー画像の取得を終了する。
【０１６１】
（第４実施形態の作用効果）
以上、第４実施形態のデジタルカメラでは、レリーズ釦が半押しされた後において、バッテリー残量が少ない場合には、撮像素子１３から中解像度の画像が出力されるようにＴＧ１５が連続駆動されて中解像度のスルー画像が順次取得される。そして、取得された中解像度のスルー画像が表示部１９のＥＶＦまたはＬＣＤモニタに順次表示される。
【０１６２】
つまり、レリーズ釦が半押しされた後において、バッテリー残量が少ない場合には、高解像度のスルー画像に替えて、中解像度のスルー画像が取得されて表示される。なお、この中解像度のスルー画像は、その解像度が、高解像度のスルー画像よりも低い画像である。このため、レリーズ釦が半押しされた後において、バッテリー残量が少ない場合には、撮像素子１３から出力される画像信号の情報量を少なくすることができる。
【０１６３】
従って、本撮影前の画像表示に係る消費電力を抑制することができる。
【０１６４】
また、第４実施形態のデジタルカメラでは、レリーズ釦が半押しされた後に取得される中解像度のスルー画像の解像度は、スルー画像の縦および横の画素数をそれぞれ整数倍した値が、表示部１９のＬＣＤモニタ又はＥＶＦの表示可能な最高解像度となるように決定される。このため、その決定された解像度で取得されるスルー画像を画像表示すると、整数倍となっていない画像を表示する場合と較べて画像表示に係る処理の負荷を軽減することができる。
【０１６５】
従って、本撮影前の画像表示に係る消費電力を抑制することができる。
【図面の簡単な説明】
【０１６６】
【図１】第１実施形態のデジタルカメラのブロック図である。
【図２】第１実施形態のデジタルカメラの撮影に係る動作を示す流れ図である。
【図３】第２実施形態のデジタルカメラの撮影に係る動作を示す流れ図である。
【図４】第３実施形態のデジタルカメラの撮影に係る動作を示す流れ図である。
【図５】第４実施形態のデジタルカメラの撮影に係る動作を示す流れ図である。
【符号の説明】
【０１６７】
１１…撮像レンズ，１２…レンズ駆動部，１３…撮像素子，１４…アナログ信号処理部，１５…タイミングジェネレータ（ＴＧ），１６…バッファメモリ，１７…画像処理部，１８…表示制御部，１９…表示部，２０…制御部，２１…測光部，２２…圧縮／復号部，２３…記録媒体，２４…操作部，２５…バッテリー残量検出部，２６…バス
【図１】
2010081345.tif 000003
【図２】
2010081345.tif 000004
【図３】
2010081345.tif 000005
【図４】
2010081345.tif 000006
【図５】
2010081345.tif 000007